(57)【要約】【課題】低コストで、且つ高い信頼性で試験体の評価を行う。【解決手段】振動試験によって得られる試験体の振動波データのうち、超音波帯域の振動波データを取得する超音波帯域データ取得手段（１４）と、超音波帯域データ取得手段（１４）により取得した振動波データのうち、正常な試験体により振動試験を行った場合に得られた超音波帯域における基礎振動波データの成分をカットする基礎データカット手段（１０）と、超音波帯域データ取得手段（１４）により取得した振動波データのうち、基礎データカット手段（１０）によってカットされて残った振動波データに基づいて、振動波データに異常があるか否かを判断する異常判断手段（１０）と、を備えた。【選択図】        図１
2004219082.tif 000002
【特許請求の範囲】
【請求項１】
振動試験によって得られる試験体の振動波データのうち、超音波帯域の振動波データを取得する超音波帯域データ取得手段と、
前記超音波帯域データ取得手段により取得した振動波データのうち、正常な試験体により振動試験を行った場合に得られた前記超音波帯域における基礎振動波データの成分をカットする基礎データカット手段と、
前記超音波帯域データ取得手段により取得した振動波データのうち、前記基礎データカット手段によってカットされて残った振動波データに基づいて、前記振動波データに異常があるか否かを判断する異常判断手段と、を備えることを特徴とする振動試験評価装置。
【請求項２】
請求項１に記載の振動試験評価装置において、
前記超音波帯域データ取得手段は、
前記基礎振動波データと同じサンプリングピッチで前記振動波データを取得するよう、サンプリングピッチを自動調整するサンプリングピッチ自動調整手段を備えることを特徴とする振動試験評価装置。
【発明の詳細な説明】
【０００１】
【発明の属する技術分野】
本発明は、振動試験評価装置に関する。
【０００２】
【従来の技術】
従来、振動試験においては、試験体に所定の振動を付与し、振動が付与された条件下での試験体の振動特性により試験体の振動性評価を行っていた。この振動試験の評価は、例えば、振動試験時に発生する音をマイクロホンにて取り込み、この取り込んだ音を高速フーリエ変換（以下、ＦＦＴという）アナライザを用いてスペクトル解析を行って、その波形をモニタに表示することにより、作業者が波形の違いを判断して評価するものである（例えば、特許文献１）。
【０００３】
【特許文献１】
特開２０００−３２１１２３号公報
【０００４】
【発明が解決しようとする課題】
ところで、上記のようなＦＦＴアナライザによる振動解析は確実で、信頼性の高いものであるが、装置が高価である。よって、生産ライン毎にＦＦＴアナライザを配置することは製造コストが嵩むため、より安価で確実に振動性評価を行うことができる装置が望まれていた。
【０００５】
そこで、本発明の課題は、低コストで、且つ高い信頼性で試験体の振動性評価を行うことができる振動試験評価装置を提供することにある。
【０００６】
【課題を解決するための手段】
以上の課題を解決するため、請求項１に記載の発明は、例えば、図１、図２に示すように、振動試験によって得られる試験体の振動波データのうち、超音波帯域の振動波データを取得する超音波帯域データ取得手段（１４）と、前記超音波帯域データ取得手段（１４）により取得した振動波データのうち、正常な試験体により振動試験を行った場合に得られた前記超音波帯域における基礎振動波データの成分をカットする基礎データカット手段（１０）と、前記超音波帯域データ取得手段（１４）により取得した振動波データのうち、前記基礎データカット手段（１０）によってカットされて残った振動波データに基づいて、前記振動波データに異常があるか否かを判断する異常判断手段（１０）と、を備えることを特徴とする。
【０００７】
請求項１に記載の発明によれば、超音波帯域データ取得手段が振動試験によって得られる試験体の振動波データのうち、超音波帯域の振動波データを取得し、基礎データカット手段が超音波帯域データ取得手段により取得した振動波データのうち、正常な試験体により振動試験を行った場合に得られた超音波帯域における基礎振動波データの成分をカットする。そして、異常判断手段が超音波帯域データ取得手段により取得した振動波データのうち、基礎データカット手段によってカットされて残った振動波データに基づいて、振動波データに異常があるか否かを判断する。
よって、超音波帯域における振動波データを取得して、基礎振動波データの成分をカットするだけの容易な方法によって異常データがあるか否かを判断できるので、従来のようにＦＦＴアナライザを設ける必要がなくなり、低コスト、且つ、高い信頼性で試験体の評価を行うことができる。
【０００８】
請求項２に記載の発明は、請求項１に記載の振動試験評価装置（１）において、前記超音波帯域データ取得手段（１４）は、前記基礎振動波データと同じサンプリングピッチで前記振動波データを取得するよう、サンプリングピッチを自動調整するサンプリングピッチ自動調整手段（１０）を備えることを特徴とする
【０００９】
請求項２に記載の発明によれば、サンプリングピッチ自動調整手段が基礎振動波データと同じサンプリングピッチで振動波データを取得するよう、サンプリングピッチを自動調整するので、基礎振動波データと振動波データとを同じ分解能で評価できることとなって、正確な振動性評価を行うことができる。
【００１０】
【発明の実施の形態】
以下、図面を参照して本発明の実施の形態におけるに振動試験評価装置について詳細に説明する。
図１に示すように、振動試験評価装置１は、コンピュータ（図示略）に備えられた各部を制御する制御部１０、振動試験によって得られる試験体の振動波データのうち、超音波帯域の振動波データを取得する超音波帯域データ取得手段としての超音波センサ１４、振動波データを取り込む操作を行うキーボード等から構成される操作部１５、振動波データの波形を表示して異常を作業者に通知するＣＲＴやＬＣＤ等のモニタから構成される表示部１６等を備えている。
【００１１】
図１に示すように、制御部１０は、各部を制御するのに必要なシステムプログラム等を実行するＣＰＵ１１、ＣＰＵ１１のワークエリア等として使用されるＲＡＭ１２、ＣＰＵ１１が実行するシステムプログラム等が記憶されたＲＯＭ１３を備えている。
ＣＰＵ１１は、ＲＯＭ１３内に格納されたプログラムを読み出してＲＡＭ１２内に展開し、当該プログラムに基づいて各部への指示等を制御する。
【００１２】
具体的に、ＣＰＵ１１は、超音波センサ１４により取得した振動波データのうち、予め正常な試験体により振動試験を行った場合に得られた超音波帯域における基礎振動波データの成分をカットする基礎データカット手段として機能する。
また、ＣＰＵ１１は、超音波センサ１４により取得した振動波データのうち、カットされて残った振動波データに基づいて、振動波データに異常があるか否かを判断する異常判断手段として機能する。具体的には、例えば、基礎振動波データ成分がカットされた振動波データと、所定の判定データとを比較して、判定データレベルを超える振動波データが残っている場合は異常と判断する。
更に、ＣＰＵ１１は、基礎振動波データと同じサンプリングピッチで振動波データを取得するよう、サンプリングピッチを自動調整するサンプリングピッチ自動調整手段として機能する。
【００１３】
ＲＡＭ１２は、ＣＰＵ１１のワークエリアを形成するとともに、ＣＰＵ１１の制御の下、超音波センサ１４により取得した振動波データを一時的に記憶する振動波データ記憶エリア、基礎振動波データを記憶する基礎振動波データ記憶エリア等を有する。ここで、基礎振動波データとは、振動試験を行った場合に、試験体に異常がなかったときの振動波データである。
【００１４】
ＲＯＭ１３には、ＣＰＵ１１が各種機能を実行するためのプログラムが格納されている。
具体的に、ＲＯＭ１３は、図２に示すように、超音波センサ１４により取得した振動波データのうち、正常な試験体により振動試験を行った場合に得られた超音波帯域における基礎振動波データの成分をカットする機能を実現させる基礎データカットプログラム１３ａを有する。また、ＲＯＭ１３は、超音波センサ１４により取得した振動波データのうち、カットされて残った振動波データに基づいて、振動波データに異常があるか否かを判断する機能を実現させる異常判断プログラム１３ｂを有する。更に、ＲＯＭ１３は、基礎振動波データと同じサンプリングピッチで振動波データを取得するよう、サンプリングピッチを自動調整する機能を実現させるサンプリングピッチ自動調整プログラム１３ｃを有する。
【００１５】
次に、振動試験評価装置１の動作について、図３を用いて説明する。
作業者が試験体の振動試験を行うと同時に、操作部１５より振動波データを取り込む指示をすると、ＣＰＵ１１は超音波センサ１４を起動させ、超音波センサ１４が図３（ａ）に示すような超音波帯域の振動波データを取得する。なお、振動波データ取得の際には、ＣＰＵ１１は、ＲＯＭ１３からサンプリングピッチ自動調整プログラム１３ｃを実行することにより、基礎振動波データと同じサンプリングピッチで振動波データを取得するよう、超音波センサ１４を制御する。超音波センサ１４により取得した振動波データはＲＡＭ１２に記憶される。
【００１６】
次いで、ＣＰＵ１１は、図３（ｂ）に示すように、事前に取得しておいた基礎振動波データをＲＡＭ１２から読み込むとともに、ＲＯＭ１３から基礎データカットプログラム１３ａを実行することにより、超音波センサ１４により取得した振動波データから基礎振動波データの成分をカットする。
次いで、ＣＰＵ１１は、ＲＯＭ１３から異常判断プログラム１３ｂを実行することにより、振動波データに異常があるか否かを判断する。ここで、図３（ｃ）に示すように、振動波データから基礎振動波データがカットされて残った振動波データが判定データのレベルを超えている場合、ＣＰＵ１１は、取得した振動波データに異常があると判断し、表示部１６を通じて作業者に通知する。
【００１７】
本実施の形態の振動試験評価装置１によれば、超音波センサ１４が振動試験によって得られる試験体の振動波データのうち、超音波帯域の振動波データを取得し、ＣＰＵ１１が基礎データカットプログラム１３ａを実行することにより、超音波センサ１４により取得した振動波データのうち、事前に取得した基礎振動波データの成分をカットする。そして、ＣＰＵ１１が異常判断プログラム１３ｂを実行することにより、超音波センサ１４により取得した振動波データのうち、カットされて残った振動波データに基づいて、振動波データに異常があると判断する。
よって、超音波帯域における振動波データを取得して、基礎振動波データの成分をカットするだけの容易な方法によって異常データがあるか否かを判断できるので、従来のように生産ラインにＦＦＴアナライザを設ける必要がなくなり、低コスト、且つ、高い信頼性で試験体の評価を行うことができる。
【００１８】
更に、振動波データを取得する際には、ＣＰＵ１１がサンプリングピッチ自動調整プログラム１３ｃを実行することにより、超音波センサ１４が基礎振動波データと同じサンプリングピッチで振動波データを取得するよう、サンプリングピッチを自動調整するので、基礎振動波データと振動波データとを同じ分解能で評価できることとなって、正確な振動性評価を行うことができる。
【００１９】
なお、本発明は、上記実施の形態に限定されるものではない。例えば、振動波データ、基礎振動波データはＲＡＭ１２に記憶させるように構成されているが、ＲＡＭ１２と別個に設けた記憶部、言い換えれば、コンピュータのハードディスク等に記憶させるようにしてもよい。
その他、本発明は、発明の要旨を逸脱しない範囲内で自由に変更、改良が可能である。
【００２０】
【発明の効果】
請求項１に記載の発明によれば、超音波帯域データ取得手段が振動試験によって得られる試験体の振動波データのうち、超音波帯域の振動波データを取得し、基礎データカット手段が超音波帯域データ取得手段により取得した振動波データのうち、正常な試験体により振動試験を行った場合に得られた超音波帯域における基礎振動波データの成分をカットする。そして、異常判断手段が超音波帯域データ取得手段により取得した振動波データのうち、基礎データカット手段によってカットされて残った振動波データに基づいて、振動波データに異常があるか否かを判断する。
よって、超音波帯域における振動波データを取得して、基礎振動波データの成分をカットするだけの容易な方法によって異常データがあるか否かを判断できるので、従来のようにＦＦＴアナライザを設ける必要がなくなり、低コスト、且つ、高い信頼性で試験体の評価を行うことができる。
【００２１】
請求項２に記載の発明によれば、サンプリングピッチ自動調整手段が基礎振動波データと同じサンプリングピッチで振動波データを取得するよう、サンプリングピッチを自動調整するので、基礎振動波データと振動波データとを同じ分解能で評価できることとなって、正確な振動性評価を行うことができる。
【図面の簡単な説明】
【図１】本実施の形態における振動試験評価装置を説明するブロック図である。
【図２】本実施の形態におけるＲＯＭ内の構成を説明する図である。
【図３】本実施の形態における振動波データの異常判断を説明する図である。
【符号の説明】
１      振動試験評価装置
１０    制御部（基礎データカット手段、異常判断手段、サンプリングピッチ自動調整手段）
１４    超音波センサ（超音波帯域データ取得手段）
【図１】
2004219082.tif 000003
【図２】
2004219082.tif 000004
【図３】
2004219082.tif 000005